(57)【要約】      （修正有）【課題】端子類を水や埃から保護して災害時に確実に使用できるようにする充放電装置を提供する。【解決手段】この充放電装置１００は、本体１の四隅部分６が凸形状となってこの四隅部分６の間に凹部分７を形成する。この凹部分７に端子領域８を形成する。端子領域は、本体１の側面に凹部を形成し、この凹部を保護蓋によりカバーした構成である。保護蓋はヒンジ構造で開閉自在である。凹部には、ＡＣ出力端子、ＵＳＢ端子、ＤＣ出力端子等が設けられる。端子領域８をこの凹部分７に設けることで、端子類が壁や床に直接あたって損傷するのを防止でき、また、障害物に本体１が当たるときに当該端子領域８が直接接触することを防止できるので、端子類の損傷を防止できる。【選択図】図１
0003190673.tif 000002
【実用新案登録請求の範囲】
【請求項１】
電気回路や二次電池を内部に収納した収納部に蓋部を開閉可能に設けた本体と、複数のパネルを連結して折り畳み構造とした太陽電池パネルとを有し、当該太陽電池パネルは前記収納部と蓋部との空間に収納され、前記本体には、その平面側又は側面側に凸形状となる四隅部分を設け、この四隅部分の間の凹部分にＤＣ端子やＡＣ端子からなる端子類を配置する端子領域を設けたことを特徴とする充放電装置。
【請求項２】
前記端子領域は、前記端子類を配置する凹部と、
当該凹部に対して開閉可能で且つ前記凹部の周縁と密着して閉じ得る構造の保護蓋と、
からなることを特徴とする請求項１に記載の充放電装置。
【請求項３】
前記電気回路には、二次電池の直流電流を正弦波の交流電流に変換するインバーターを含むことを特徴とする請求項１又は２に記載の充放電装置。
【考案の詳細な説明】
【技術分野】
【０００１】
本考案は、災害時等の非常用電源として適した充放電装置に関するものである。
【背景技術】
【０００２】
従来から、下記特許文献１に開示されているような技術が知られている。この可搬型太陽光発電装置は、トランク型のケース内に太陽電池パネルが内蔵された構造である。ケースは、本体部と蓋部とから構成されヒンジにより開閉構造となる。太陽電池パネルは、複数のパネルで構成され、これらは折り畳まれて前記ケース内に収納される。ケースの下には、キャスターが設けられ、転がすことにより可搬型太陽光発電装置を自在に移動可能である。
【０００３】
また、ケース内には、各種制御回路を備えた回路部と蓄電池及びインバーターが内蔵されている。また、ケースには、充電回路、放電回路、停電監視回路、ＤＣの出力回路、ＤＣ１２Ｖの出力回路、充電電池の充電回路、ＵＳＢ用の出力回路が内蔵されている。ケースの側面には、ＡＣ電源入力端子、蓄電池インジケータランプ、主電源スイッチ、ＡＣ出力用コンセント、ＤＣ出力部、動作確認ランプ、ＵＳＢ出力端子が設置されている。これらに任意の負荷を接続することで、蓄電した電力を使用可能となる。
【先行技術文献】
【特許文献】
【０００４】
【特許文献１】特開２０１３−１５３００８号公報
【考案の概要】
【考案が解決しようとする課題】
【０００５】
しかしながら、上記従来の可搬型太陽光発電装置では、ケース側面にコンセント等が露出しているため、物に当たってコンセント類が損傷する恐れがある。また、水や埃がかかることで災害時に使用できなくなる恐れがある。更に、災害時には砂や埃が舞うため、これらがコンセントやケースに侵入することで故障の原因となる。この考案は、これらの問題点を解決するためになされたものである。
【課題を解決するための手段】
【０００６】
本考案に係る充放電装置は、電気回路や二次電池を内部に収納した収納部に蓋部を開閉可能に設けた本体と、複数のパネルを連結して折り畳み構造とした太陽電池パネルとを有し、当該太陽電池パネルは前記収納部と蓋部との空間に収納され、前記本体には、その平面側又は側面側に凸形状となる四隅部分を設け、この四隅部分の間の凹部分にＤＣ端子やＡＣ端子からなる端子類を配置する端子領域を設けたことを特徴とする。
【０００７】
四隅部分の間の凹部分に端子類を設けることで、災害時等のハードな使用時において、端子領域が物に当たることを防止できる。このため、端子類の損傷を防止できる。
【０００８】
また、本考案に係る充放電装置は、上記考案において、前記端子領域は、前記端子類を配置する凹部と、当該凹部に対して開閉可能で且つ前記凹部の周縁と密着して閉じ得る構造の保護蓋とからなることを特徴とする。
【０００９】
このように端子類を凹部に配置して保護蓋により密着して開閉可能とすることで、水や埃から端子類を保護できる。このため、端子類の故障を防止できる。
【００１０】
更に、本考案に係る充放電装置は、上記考案において、前記電気回路には、二次電池の直流電流を正弦波の交流電流に変換するインバーターを含むようにした。これにより、殆どの電気製品を災害時等に用いることが可能となり、疑似矩形波の交流電流に起因した電気製品の故障を防止できる。
【図面の簡単な説明】
【００１１】
【図１】この考案の実施の形態１に係る充放電装置を示す構成図であり、（ａ）は平面図、（ｂ）は左側面図、（ｃ）は右側面図、（ｄ）は背面図、（ｅ）は上面図、（ｆ）は底面図である。
【図２】図１に示した充放電装置の展開状態を示す説明図であり、（ａ）は平面図、（ｂ）は左側面図である。
【図３】図１に示した充放電装置の展開状態を示す説明図であり、（ｃ）は右側面図、（ｄ）は背面図である。
【図４】図１に示した充放電装置を示すシステム構成図である。
【図５】図１に示した充放電装置の展開途中の状態を示す説明図である。
【図６】図１に示した充放電装置の展開状態を示す説明図である。
【図７】端子領域を示す説明図であり、（ａ）は保護蓋を閉じた状態、（ｂ）は保護蓋を開いた状態、（ｃ）は保護蓋を開いた状態の側面図を示す。
【考案を実施するための形態】
【００１２】
図１は、この考案の実施の形態に係る充放電装置を示す構成図である。図２及び図３は、図１に示した充放電装置の展開状態を示す説明図である。図４は、図１に示した充放電装置を示すシステム構成図である。この充放電装置１００は、開閉可能な構造の本体１と、本体１の内部に設置した太陽電池パネル２とから構成される。前記本体１は、全体がトランクケース状の箱型であって収納部３と当該収納部３にヒンジ構造により開閉可能に取り付けた蓋部４とからなる。収納部３と蓋部４とは、それぞれの端縁同士が密着することで機密を保つ構造となる。蓋部４の端縁及びこれに対応する位置の前記本体１の端縁には、バックル５が設けられている。
【００１３】
本体１は、全体として四隅部分６が凸形状となっており、本体１を地面に置く際には当該四隅部分６が接地するようになる。また、本体１が壁に当たるときも主に当該四隅部分６が当たることになる。当該四隅部分６は平面側及び側面側にぞれぞれ凸形状となるので、本体１をどのように置いても当該四隅部分６が接地する。四隅部分６の間は、相対的に凹部分７となり、当該凹部分７に後述する端子領域８が設けられる。端子領域８をこの凹部分７に設けることで、端子類が壁や床に直接あたって損傷するのを防止できるし、障害物に本体１が当たるときに当該端子領域８が直接接触することを防止できるので、端子類の損傷を防止できる。
【００１４】
更に、収納部３の内部には、充電回路３１、二次電池３２、放電回路３３、インバーター３４、ＵＳＢ出力回路３５、ＤＣ出力回路３６等の電気回路が設けられている。収納部３は、前記充電回路３１等を内蔵し、上部にカバー９を設けた構成である。カバー９は、収納部３に対して密閉性を持って取り付けられる。具体的には、カバー９の周囲にパッキンを設け、収納部３の筐体に対して密着状態で取り付けられる。これにより、収納部３に収納した二次電池３２等は、本体１を開いた状態でも内部に水が浸入することはない。
【００１５】
前記太陽電池パネル２は、５枚の折り畳み構造となる。パネル同士は、ヒンジ構造２６により一方向に連結される。パネル同士の連結をヒンジ構造２６により行うことで、図５の展開途中の状態図に示すように、５枚のパネルを全て折り畳んで、収納部３の上面に重ねる置くことができる。５枚のパネルを折り畳み重ねた状態で上から一番パネル２１、二番パネル２２、三番パネル２３、四番パネル２４、五番パネル２５とする。パネル同士は、構造的にはヒンジ連結して相互に回転可能となるが、パネル同士の電気的な接続は防水用の被覆を施した電線で行う（図示省略）。太陽電池パネル２は、収納部３の上面と蓋部４との空間に収納される。
【００１６】
五番パネル２５の一端は、収納部３の端縁近傍であって前記蓋部４との連結端縁と反対側にヒンジ連結されている。五番パネル２５からは電線が延出し、この電線は収納部３内の二次電池３２に接続される。発電面を上側にして展開した状態では、短冊形状となる太陽電池パネル２が前記収納部３の端縁近傍から前記蓋部４の上をかぶり当該蓋部４を開いた方向に延出されることになる。
【００１７】
折畳み状態では、図６に示すように、五番パネル２５の発電面が上側となって収納部３の上部に載置状態となる。各パネルは必要に応じて展開可能である。例えば五番パネル２５、四番パネル２４及び三番パネル２３の３枚を展開しても良いし、更に二番パネル２２及び一番パネル２１を展開して、全てのパネルを展開することもできる。更に、特定のパネルのみを山形に立ててその他を寝かせるようにして展開もできる。なお、展開方向が蓋部４側になるため、太陽電池パネル２を展開した状態で誤って蓋部４を閉じてパネルを損傷するのを防止できる。
【００１８】
なお、各パネルの大きさは、収納部３の平面大きさよりも若干小さくなるが、これに限定されるものではない。図示しないが、一番パネル２１のヒンジ構造を着脱可能として太陽電池パネル２を収納部３から取り外して使用できるようにしても良い。この場合、太陽電池パネル２と収納部３との間の電線は長めのものを用いる。
【００１９】
本体１の収納部３の側面は、前記端子領域８となる。この端子領域８には、凹部１０が形成され当該凹部１０に外部との接続を行うＡＣ出力端子１１、ＵＳＢ出力端子１２、ＤＣ出力端子１３が設けられる。ＤＣ出力端子１３は、ＤＣ１２Ｖシガーソケット型等の複数種類のものを用いる。ＡＣ出力端子１１は前記インバーター３４を介して放電回路に接続される。ＵＳＢ端子１２はＵＳＢ出力回路３５に接続され、ＤＣ出力端子１３はＤＣ出力回路３６に接続される。これら端子の数は、任意である。この端子類は、保護蓋１４によりカバーされる。
【００２０】
保護蓋１４は、図７に示すように、ヒンジ構造により本体１側面に連結しており、開閉可能な構造となる。前記端子類に水や埃が侵入しないように、周縁部にパッキン１５が設けられる。図７（ａ）に示すように、保護蓋１４を閉じた状態で保護蓋１４の周囲のパッキン１５が凹部１０の周縁と密着して当該凹部１０に設けた前記端子類は密封される。保護蓋１４には、開閉用の摘み１６が設けられる。この摘み１６を回転させることで保護蓋１４のロックを行う。保護蓋１４を開いた状態で、図７（ｂ）及び（ｃ）に示すように、凹部１０が外部に露出して端子類が使用可能な状態となる。
【００２１】
端子領域８は前記四隅部分６により直接衝撃が加わり難い構造となっているので、保護蓋１４により保護された端子類に外部からの衝撃が加わり破損する等の問題がない。また、保護蓋１４により内部は機密に保持されるので、水分の侵入による電気的な問題を生じさせない。
【００２２】
また、本体１の収納部３の別側面には、ＬＥＤライト４１が設けられる。ＬＥＤライト４１は二次電池３２と接続され、長時間の点灯を可能とする。前記太陽電池パネル２には、例えば多結晶シリコンを用いたものを用いる。二次電池３２には、リチウムイオン電池、リチウムポリマー電池、ニッカド電池、ニッケル水素電池等を用いる。
【００２３】
前記インバーター３４には、二次電池３２の直流電流を正弦波の交流に変換する正弦波インバーターを用いる。この正弦波の交流電源は一般家庭用コンセントの商用電源と同様に規則正しい一定周期の安定した電源波形を有するものである。このインバーター３４により正弦波の交流電流をＡＣ出力端子１１から出力するので、殆どの家電製品に用いることができるようになる。
【００２４】
また、本体１には、充電回路３１が設けられている。充電回路３１は、ＡＣアダプター４２に接続される。当該ＡＣアダプター４２は、前記凹部１０に設けられる。このＡＣアダプター４２を家庭用電源に接続することで二次電池３２に電力を充電できる。このように、太陽電池パネル２以外からも充電できるので、家庭用の補助外部電源として夜間でも機能する。
【００２５】
以上、この考案の充放電装置１００によれば、太陽電池パネル２が防水構造の本体１に収納されるので、災害時に水がかかる等の原因による故障を生じさせない。また、端子類も保護蓋１４によりカバーされているので、同様に災害時の水や衝撃等による故障を防止できる。
【符号の説明】
【００２６】
１００  充放電装置
１  本体
２  太陽電池パネル
３  収納部
４  蓋部
６  四隅部分
７  凹部分
８  端子領域
９  カバー
１０  凹部
１４  保護蓋
【図１】
0003190673.tif 000003
【図２】
0003190673.tif 000004
【図３】
0003190673.tif 000005
【図４】
0003190673.tif 000006
【図５】
0003190673.tif 000007
【図６】
0003190673.tif 000008
【図７】
0003190673.tif 000009